(57)【要約】【課題】感光体ドラムにおける非画像形成領域の摩耗を抑制することのできる画像形成装置を提供すること。【解決手段】画像形成装置は、感光体ドラム１１と、現像ローラー１３１と、筐体１３２と、転写ローラー１５と、第１除電部１４と、遮蔽部１３４とを備える。筐体１３２は、現像ローラー１３１を支持する。第１除電部１４は、筐体１３２に配置され、感光体ドラム１１の外周面における現像ローラー１３１と転写ローラー１５との間の位置に感光体ドラム１１を除電する除電光を照射する。遮蔽部１３４は、筐体１３２に形成され、第１除電部１４から感光体ドラム１１に向けて照射される除電光のうち感光体ドラム１１における予め定められた非画像形成領域に向けて照射される除電光を遮蔽する。【選択図】図２
2015158647.tif 000002
【特許請求の範囲】
【請求項１】
感光体ドラムと、
前記感光体ドラムに形成される静電潜像をトナーにより現像する現像ローラーと、
前記感光体ドラム及び前記現像ローラーのいずれか一方又は両方を支持する筐体と、
前記現像ローラーにより現像された前記感光体ドラムの前記トナー像をシート又は中間転写体に転写する転写ローラーと、
前記筐体に配置され、前記感光体ドラムの外周面における前記現像ローラーと前記転写ローラーとの間の位置に前記感光体ドラムを除電する除電光を照射する第１除電部と、
前記筐体に形成され、前記第１除電部から前記感光体ドラムに向けて照射される除電光のうち前記感光体ドラムにおける予め定められた画像形成領域外の非画像形成領域に向けて照射される除電光を遮蔽する遮蔽部と、
を備える画像形成装置。
【請求項２】
前記感光体ドラムに接触して配置され、前記感光体ドラムを帯電させる帯電ローラーを更に備える請求項１に記載の画像形成装置。
【請求項３】
前記遮蔽部が、前記第１除電部から前記感光体ドラムに向けて照射される除電光のうち前記遮蔽部で遮蔽されることなく前記感光体ドラムに到達する除電光の端部と前記画像形成領域及び前記非画像形成領域の境界との間隔が予め定められた許容値以下となるまで前記感光体ドラムに近接した位置に形成されている請求項１又は２に記載の画像形成装置。
【請求項４】
前記画像形成領域が、前記感光体ドラムにおける予め定められた最大印字可能サイズに対応する領域である請求項１〜３のいずれかに記載の画像形成装置。
【請求項５】
前記転写ローラーより前記シート又は前記中間転写体に前記トナー像が転写された後の前記感光体ドラムをクリーニングするクリーニング部を更に備え、
前記感光体ドラムの外周面における前記転写ローラーと前記クリーニング部との間の位置に前記感光体ドラムを除電する除電光を照射する第２除電部を更に備える請求項１〜４のいずれかに記載の画像形成装置。
【請求項６】
複数組の前記感光体ドラム、前記現像ローラー、前記転写ローラー、前記第１除電部、及び前記クリーニング部が並設されており、
前記第１除電部が、前記感光体ドラムの外周面における前記現像ローラーと前記転写ローラーとの間に除電光を照射すると共に、隣接する前記感光体ドラムの外周面における前記転写ローラーと前記クリーニング部との間に除電光を照射可能な請求項５に記載の画像形成装置。
【請求項７】
前記感光体ドラムが、単一の感光層を有する正帯電有機感光体ドラムである請求項１〜６のいずれかに記載の画像形成装置。
【発明の詳細な説明】
【技術分野】
【０００１】
本発明は、電子写真方式の画像形成装置に関する。
【背景技術】
【０００２】
電子写真方式の画像形成装置では、帯電ローラーによって感光体ドラムが一様に帯電される。次に、帯電した感光体ドラムの表面上にレーザー光が照射されて感光体ドラムの表面上に静電潜像が形成される。そして、感光体ドラムの静電潜像はトナーを用いて現像される。その後、感光体ドラムのトナー像がシート又は中間転写ベルトに転写されると、感光体ドラムは除電部から照射される除電光によって除電され、感光体ドラムの表面はクリーニング部によってクリーニングされる（例えば特許文献１参照）。
【先行技術文献】
【特許文献】
【０００３】
【特許文献１】特開２００６−２３４８８２号公報
【発明の概要】
【発明が解決しようとする課題】
【０００４】
ところで、感光体ドラムのトナー像が中間転写される中間転写ベルトを有する画像形成装置では、トナーと共に用いられる滑剤又は研磨剤などの外添材が中間転写ベルトに付着する。ここで、中間転写ベルトにおける最大印字可能サイズの幅に対応する画像形成領域に付着する外添剤はトナーと共に中間転写ベルトからシートに転移する。しかしながら、中間転写ベルトにおける画像形成領域の外側の非画像形成領域に付着した外添剤はシートに転移せずに残存することになる。また、帯電ローラーによって感光体ドラムが帯電される際には放電によってオゾン又は窒素酸化物などの放電生成物も感光体ドラムに付着するおそれがある。
【０００５】
そのため、感光体ドラム及び中間転写ベルトの非画像形成領域が外添材又は放電生成物などを介して摺摺し、感光体ドラムの非画像形成領域が画像形成領域に比べて摩耗しやすくなる。なお、外添材又は放電生成物が付着した非画像形成領域はクリーニング部でも削られやすくなる。そして、感光体ドラムの非画像形成領域が摩耗すると、帯電ローラーによる感光体ドラムの帯電工程時におけるリーク電流が発生し、画像に乱れが生じるおそれがある。即ち、感光体ドラムの非画像形成領域の摩耗が感光体ドラムの寿命を短くするおそれがある。
【０００６】
また、画像形成装置において感光体ドラム及び帯電ローラーは圧接して配置され、そのニップ部の圧力が感光体ドラムの内側に比べて外側が強くなりやすいことも非画像形成領域が摩耗しやすくなる要因の一つである。
【０００７】
本発明の目的は、感光体ドラムにおける非画像形成領域の摩耗を抑制することのできる画像形成装置を提供することにある。
【課題を解決するための手段】
【０００８】
本発明の一の局面に係る画像形成装置は、感光体ドラムと、筐体と、現像ローラーと、筐体と、転写ローラーと、第１除電部と、遮蔽部とを備える。前記現像ローラーは、前記感光体ドラムに形成される静電潜像をトナーにより現像する。前記筐体は、前記感光体ドラム及び前記現像ローラーのいずれか一方又は両方を支持する。前記転写ローラーは、前記現像ローラーにより現像された前記感光体ドラムの前記トナー像をシート又は中間転写体に転写する。前記第１除電部は、前記筐体に配置され、前記感光体ドラムの外周面における前記現像ローラーと前記転写ローラーとの間の位置に前記感光体ドラムを除電する除電光を照射する。前記遮蔽部は、前記筐体に形成され、前記第１除電部から前記感光体ドラムに向けて照射される除電光のうち前記感光体ドラムにおける予め定められた画像形成領域外の非画像形成領域に向けて照射される除電光を遮蔽する。
【発明の効果】
【０００９】
本発明によれば、感光体ドラムにおける非画像形成領域の摩耗が抑制される。
【図面の簡単な説明】
【００１０】
【図１】図１は、本発明の実施形態に係る画像形成装置の構成を示す図である。
【図２】図２は、図１に示された画像形成装置の画像形成ユニットの一例を示す図である。
【図３】図３は、図２におけるＡ−Ａ矢視図である。
【図４】図４は、図１に示された画像形成装置の画像形成ユニットの他の例を示す図である。
【図５】図５は、図４におけるＢ−Ｂ矢視図である。
【発明を実施するための形態】
【００１１】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１２】
［第１実施形態］
まず、本発明の第１実施形態に係る画像形成装置１０の概略構成について説明する。
【００１３】
［画像形成装置１０の概略構成］
図１に示すように、前記画像形成装置１０は、複数組の画像形成ユニット１〜４、中間転写ベルト５、光走査装置６、二次転写ローラー７、定着装置８、排紙トレイ９、トナーコンテナー２１〜２４、給紙カセット３１、及び搬送経路３２などを備える。前記画像形成装置１０は、前記給紙カセット３１から前記搬送経路３２に沿って供給されるシートに、パーソナルコンピューターなどの情報処理装置から入力される画像データに基づくカラー画像又はモノクロ画像を形成するカラープリンターである。なお、前記搬送経路３２には、前記給紙カセット３１に積載されたシートを前記二次転写ローラー７及び前記定着装置８を経て前記排紙トレイ９に搬送する各種の搬送ローラーが設けられている。前記シートは、紙、コート紙、ハガキ、封筒、及びＯＨＰシートなどのシート材料である。また、ファクシミリー、コピー機、及び複合機なども、本発明に係る画像形成装置の一例である。
【００１４】
前記画像形成ユニット１〜４は、前記中間転写ベルト５の走行方向に沿って並設されており、所謂タンデム方式の画像形成部を構成する。具体的に、前記画像形成ユニット１ではＣ（シアン）、前記画像形成ユニット２ではＭ（マゼンダ）、前記画像形成ユニット３ではＹ（イエロー）、前記画像形成ユニット４ではＫ（ブラック）に対応するトナー像が形成される。
【００１５】
ここに、図２は、前記画像形成ユニット１の構成の一例を示す図である。なお、前記画像形成ユニット１〜４各々は同様の構成であるため、ここでは前記画像形成ユニット１のみについて説明し、前記画像形成ユニット２〜４の説明を省略する。
【００１６】
図２に示すように、前記画像形成ユニット１は、感光体ドラム１１、帯電部１２、現像部１３、第１除電部１４、一次転写ローラー１５、及びクリーニング部１６などを備える電子写真方式の画像形成ユニットである。
【００１７】
前記感光体ドラム１１は、静電潜像及びトナー像を担持する像担持体である。より具体的に、前記感光体ドラム１１は、単一の感光層を有する正帯電有機感光体ドラムである。なお、前記感光体ドラム１１は、負帯電積層感光体ドラム又はアモルファスシリコンドラムであってもよい。
【００１８】
前記帯電部１２は、前記感光体ドラム１１に接触した状態で回転可能な帯電ローラー１２１を有する。前記帯電ローラー１２１は、不図示の電源から供給される電力により前記感光体ドラム１１を帯電させる。前記光走査装置６は、前記帯電部１２により帯電された前記感光体ドラム１１にレーザー光を照射し、画像データに基づく静電潜像を前記感光体ドラム１１の外周面に形成する。なお、前記帯電ローラ１２１を用いて前記感光体ドラム１１を帯電させる構成では、前記感光体ドラム１１の薄層化が帯電工程時のリーク電流に大きく影響する。
【００１９】
前記現像部１３は、前記感光体ドラム１１に形成された前記静電潜像をトナー（現像剤）により現像する現像ローラー１３１を有する。また、前記現像部１３は、前記現像ローラー１３１を回動可能に支持する筐体１３２を有する。なお、前記現像部１３による静電潜像の現像にはトナーと共に滑材又は研磨剤などの外添材が用いられる。また、前記画像形成ユニット１〜４各々の前記現像部１３には、各色に対応する着脱可能なトナーコンテナー２１〜２４からトナーが補給される。
【００２０】
前記第１除電部１４は、前記感光体ドラム１１の外周面における前記現像ローラー１３１と前記一次転写ローラー１５との間の位置に、前記感光体ドラム１１を除電するための除電光を照射することにより前記感光体ドラム１１を除電するＬＥＤなどである。換言すると、前記第１除電部１４は、前記感光体ドラム１１の回転方向において前記現像ローラー１３の下流側であって前記一次転写ローラー１５の上流側に除電光を照射する。これにより、前記感光体ドラム１１に生じるおそれがある所謂メモリー画像が抑制される。
【００２１】
前記一次転写ローラー１５は、前記感光体ドラム１１に形成されたトナー像を前記中間転写ベルト５に転写する。前記中間転写ベルト５は、前記画像形成ユニット１〜４各々の前記感光体ドラム１１の上方を走行し、前記感光体ドラム１１各々に形成された各色のトナー像が順次重ね合わせて転写される中間転写部材である。即ち、前記中間転写ベルト５には、各色のトナー像が重ね合わされることにより、画像データに基づくカラー画像が形成される。なお、前記中間転写ベルト５が前記感光体ドラム１１各々の下方を走行する配置構成も他の実施形態として考えられる。
【００２２】
そして、前記中間転写ベルト５のトナー像は、前記二次転写ローラー７により、前記給紙カセット３１から前記搬送経路３２を経て搬送されるシートに転写される。その後、前記シートに転写されたトナー像は、前記定着装置８で加熱されて前記シートに溶融定着する。前記クリーニング部１６は、前記中間転写ベルト５にトナー像が転写された後の前記感光体ドラム１１をクリーニングするクリーニングブレード又はクリーニングローラー等を有する。
【００２３】
なお、前記画像形成装置１０には、前記画像形成ユニット１〜３各々の前記感光体ドラム１１と前記中間転写ベルト５とを接触及び離間させる離接機構（不図示）が設けられている。そして、前記画像形成装置１０においてモノクロ画像が印刷される場合には、前記離接機構により前記画像形成ユニット１〜３各々の前記感光体ドラム１１と前記中間転写ベルト５とが離間される。これにより、前記画像形成ユニット４から前記中間転写ベルト５に前記画像形成ユニット４で形成されるブラックのトナー像のみが転写され、前記中間転写ベルト５から前記シートにモノクロ画像が転写される。
【００２４】
ところで、図３に示すように、前記感光体ドラム１１、前記帯電ローラー１２１、及び前記中間転写ベルト５各々は、主走査方向Ｄ１における最大印字可能サイズに対応する画像形成領域Ａ１と前記画像形成領域Ａ１の外側の非画像形成領域Ａ２とを含む。なお、前記画像形成装置１０では、前記画像形成領域Ａ１から前記非画像形成領域Ａ２の一部の範囲についても画像形成が可能であり、これによって前記画像形成領域Ａ１における画像形成が安定して行われる。
【００２５】
一方、前記画像形成装置１０では、トナーと共に用いられる外添材が前記中間転写ベルト５に付着する。そして、前記中間転写ベルト５のうちシートに接触する前記画像形成領域Ａ１に付着する外添剤は、トナーと共に前記中間転写ベルト５からシートにある程度転移する。しかしながら、前記中間転写ベルト５のうちシートに接触しない前記非画像形成領域Ａ２に付着する外添剤は、転移せずに残存することになる。また、前記帯電ローラー１２１によって前記感光体ドラム１１が帯電される際には放電によってオゾン又は窒素酸化物などの放電生成物が前記感光体ドラム１１に付着するおそれがある。そのため、前記感光体ドラム１１及び前記中間転写ベルト５の前記非画像形成領域Ａ２が外添材又は放電生成物などを介して摺摺し、前記感光体ドラム１１の前記非画像形成領域Ａ２が前記画像形成領域Ａ１に比べて摩耗しやすくなる。なお、外添材又は放電生成物が付着した前記非画像形成領域Ａ２は前記クリーニング部１６でも削られやすくなる。そして、前記感光体ドラム１１の前記非画像形成領域Ａ２が摩耗すると、前記帯電ローラー１２１による前記感光体ドラム１１の帯電工程時にリーク電流が発生し、画像に乱れが生じるおそれがある。即ち、前記感光体ドラム１１の前記非画像形成領域Ａ２の摩耗が前記感光体ドラム１１の寿命（使用可能期間）を短くするおそれがある。また、前記画像形成装置１０において前記感光体ドラム１１及び前記帯電ローラー１２１は圧接されているため、そのニップ部の圧力は前記感光体ドラム１１の内側に比べて外側が強くなりやすいことも前記感光体ドラム１１の前記非画像形成領域Ａ２が摩耗しやすくなる要因の一つである。
【００２６】
本実施の形態に係る前記画像形成装置１０では、以下の構成により、前記感光体ドラム１１における前記非画像形成領域Ａ２の摩耗が抑制される。
【００２７】
図３に示すように、前記第１除電部１４は、前記筐体１３２の上面１３３に配置され、前記主走査方向Ｄ１に予め定められた間隔で複数配置され、前記感光体ドラム１１に向けて除電光を照射可能である。
【００２８】
また、図３に示すように、前記筐体１３２の上面１３３における前記主走査方向Ｄ１の両端には遮蔽部１３４が形成されている。より具体的に、前記遮蔽部１３４は、前記上面１３３から上方に突出する突出部として前記筐体１３２に一体的に形成されている。そして、前記遮蔽部１３４は、前記第１除電部１４各々から前記感光体ドラム１１に向けて照射される除電光のうち前記感光体ドラム１１における前記非画像形成領域Ａ２に向けて照射される除電光を遮蔽する。
【００２９】
ここで、前記筐体１３２の前記上面１３３における前記遮蔽部１３４の形成位置は、前記第１除電部１４から前記感光体ドラム１１に向けて照射される除電光のうち前記遮蔽部１３４で遮蔽されることなく前記感光体ドラム１１に到達する除電光の端部と前記画像形成領域Ａ１及び前記非画像形成領域Ａ２の境界との間隔が予め定められた許容値以下となるまで前記感光体ドラム１１に近接した位置である。これにより、前記遮蔽部１３４が前記第１除電部１４の近傍に配置されている場合に比べて、前記感光体ドラム１１の前記非画像形成領域Ａ２への除電光の照射を高い精度で遮蔽することができる。
【００３０】
このように前記感光体ドラム１１の前記非画像形成領域Ａ２への前記除電光の照射が抑制されると、前記感光体ドラム１１の前記非画像形成領域Ａ２の帯電状態が維持される。また、前記画像形成装置１０では、前記非画像形成領域Ａ２と前記帯電ローラー１２１との電位差が小さくなり、前記感光体ドラム１１の帯電工程時の前記非画像形成領域Ａ２における放電が抑制される。そのため、前記感光体ドラム１１の前記非画像形成領域Ａ２への放電生成物又は外添材などの付着が抑制されて前記非画像形成領域Ａ２の摩耗が抑制される。また、前記感光体ドラム１１の帯電工程時におけるリーク電流の発生も抑制される。従って、前記画像形成装置１０では、前記感光体ドラム１１の寿命を長くすることができる。特に、このような効果は、前記感光体ドラム１１のように比較的削れやすい有機材料で形成され、薄膜化によるリーク電流が発生しやすい正帯電有機感光体ドラムを使用する前記画像形成装置１０において顕著に現れる。
【００３１】
さらに、前記遮蔽部１３４は、前記筐体１３２の前記上面１３２に一体形成することが可能であるため、前記遮蔽部１３４のために部品点数が増加することもない。より具体的に、前記遮蔽部１３４は、前記筐体１３２の前記感光体ドラム１１側の先端が前記感光体ドラム１１の近傍に位置するように前記筐体１３２が前記感光体ドラム１１に向けて延設された構成により前記感光体ドラム１１の近傍に形成することが可能である。
【００３２】
また、前記画像形成装置１０では、前記筐体１３２の前記上面１３３において前記第１除電部１４と前記遮蔽部１３４との位置が除電光の照射方向に離間している。より具体的に、前記筐体１３２の前記上面１３３における前記第１除電部１４の配置位置は、前記感光体ドラム１１から飛散するトナーが到達しにくくなる程度まで前記感光体ドラム１１から離間した位置である。これにより、前記画像形成装置１０では、前記非画像形成領域Ａ２への除電光の照射を抑制しつつ、前記第１除電部１４へのトナーの付着を抑制して前記第１除電部１４による除電性能の劣化を抑制することができる。
【００３３】
［第２実施形態］
以下、本発明の第２実施形態に係る前記画像形成装置１０について説明する。ここに、図４は、前記画像形成ユニット１の他の例を示す図である。また、図５は、図４におけるＢ−Ｂ矢視図である。なお、前記第１実施形態と同様の構成については同じ符号を用い、その説明を省略する。
【００３４】
具体的に、図４に示すように、前記第２実施形態に係る前記画像形成装置１０は、前記感光体ドラム１１を支持する筐体１１１を有する。前記筐体１１１は、前記感光体ドラム１１の回転軸１１２を支持する軸受けを有しており、前記感光体ドラム１１を回転可能に支持する。また、前記筐体１１１は、前記感光体ドラム１１と共に前記クリーニング部１６を支持する。なお、前記筐体１１１又は前記筐体１３２が、前記感光体ドラム１１及び前記現像ローラー１３１を支持することも他の実施形態として考えられる。
【００３５】
また、図５に示すように、前記筐体１１１の上面１１３における前記主走査方向Ｄ１の両端には遮蔽部１１４が形成されている。より具体的に、前記遮蔽部１１４は、前記上面１１３から上方に突出する突出部として前記筐体１１１に一体的に形成されている。そして、前記遮蔽部１１４は、前記第１除電部１４各々から前記感光体ドラム１１に向けて照射される除電光のうち前記感光体ドラム１１における前記非画像形成領域Ａ２に向けて称される除電光を遮蔽する。即ち、前記第２実施形態に係る前記画像形成装置１０は、前記遮蔽部１３４に代えて前記遮蔽部１１４を備える。
【００３６】
このように構成された前記画像形成装置１０においても、前記感光体ドラム１１の前記非画像形成領域Ａ２への前記除電光の照射が前記遮蔽部１１４によって抑制され、前記感光体ドラム１１の前記非画像形成領域Ａ２の帯電状態が維持される。また、前記画像形成装置１０では、前記非画像形成領域Ａ２と前記帯電ローラー１２１との電位差が小さくなり、前記感光体ドラム１１の帯電工程時の前記非画像形成領域Ａ２における放電が抑制される。そのため、前記感光体ドラム１１の前記非画像形成領域Ａ２への放電生成物又は外添材などの付着が抑制されて前記非画像形成領域Ａ２の摩耗が抑制される。また、前記感光体ドラム１１の帯電工程時におけるリーク電流の発生も抑制される。従って、前記画像形成装置１０では、前記感光体ドラム１１の寿命を長くすることができる。
【００３７】
特に、前記遮蔽部１１４は、前記感光体ドラム１１が支持される前記筐体１１１の前記上面１１３に形成されるため、前記感光体ドラム１１の外周面に極力近い位置に形成しやすい。これにより、前記遮蔽部１１４が前記第１除電部１４の近傍に配置されている場合に比べて、前記感光体ドラム１１の前記非画像形成領域Ａ２への除電光の照射を高い精度で遮蔽することができる。
【００３８】
また、図４に示すように、前記画像形成装置１０が、第２除電部１４１及び遮蔽部１４２を更に備える構成が考えられる。前記第２除電部１４１は、前記感光体ドラム１１の外周面における前記一次転写ローラー１５と前記クリーニング部１６との間の位置に、前記感光体ドラム１１を除電するための除電光を照射する。換言すると、前記第２除電部１４１は、前記感光体ドラム１１の回転方向において前記一次転写ローラー１５の下流側であって前記クリーニング部１６の上流側に除電光を照射する。また、前記遮蔽部１４２は、前記筐体１１１の上面１１３における前記主走査方向Ｄ１の両端に一体形成されている。そして、前記遮蔽部１４２は、前記遮蔽部１１４と同様に、前記第２除電部１４１各々から前記感光体ドラム１１に向けて照射される除電光のうち前記感光体ドラム１１における前記非画像形成領域Ａ２に向けて称される除電光を遮蔽する。これにより、前記感光体ドラム１１における前記メモリー画像の発生をより効果的に抑制することができる。
【００３９】
さらに、前記第１除電部１４が、前記感光体ドラム１１に向かう方向と、その反対方向との両方に除電光を照射する構成も考えられる。即ち、前記第１除電部１４が、前記感光体ドラム１１の外周面における前記現像ローラー１３１と前記転写ローラー１５との間に除電光を照射すると共に、隣接する前記感光体ドラム１１における外周面における前記転写ローラー１５と前記クリーニング部１６との間に除電光を照射することも他の実施形態として考えられる。即ち、前記第１除電部１４が前記第２除電部１４１を兼ねる構成が考えられる。
【００４０】
例えば、前記画像形成ユニット２の前記第１除電部１４は、前記画像形成ユニット２の前記感光体ドラム１１の外周面における前記現像ローラー１３１と前記転写ローラー１５との間に除電光を照射する。また、前記画像形成ユニット２の前記第１除電部１４は、隣接する前記画像形成ユニット１の前記感光体ドラム１１の外周面における前記転写ローラー１５と前記クリーニング部１６との間に除電光を照射することが考えられる。なお、この場合、前記画像形成ユニット２の前記第１除電部１４及び前記画像形成ユニット１の前記クリーニング部１６は、前記第１除電部１４からの除電光が前記クリーニング部１６で遮蔽されない位置関係で配置される。これにより、前記第１除電部１４を用いて前記感光体ドラム１１における前記メモリー画像の発生をより効果的に抑制することができる。なお、前記画像形成ユニット４については、前記第１除電部１４とは別に前記第２除電部１４１が設けられる。
【００４１】
また、前記画像形成装置１０において、前記感光体ドラム１１から前記中間転写ベルト５を介してシートにトナー像が転写される場合を例に挙げて説明したが、前記感光体ドラム１１からシートにトナー像が直接転写される構成も他の実施形態として考えられる。
【符号の説明】
【００４２】
１〜４：画像形成ユニット
５  ：中間転写ベルト
６  ：光走査装置
７  ：二次転写ローラー
８  ：定着装置
９  ：排紙トレイ
１０：画像形成装置
１１：感光体ドラム
１１１：筐体
１１２：回転軸
１１３：上面
１１４：遮蔽部
１２：帯電部
１２１：帯電ローラー
１３：現像部
１３１：現像ローラー
１３２：筐体
１３３：上面
１３４：遮蔽部
１４：第１除電部
１５：一次転写ローラー
１６：クリーニング部
２１〜２４：トナーコンテナー
３１：給紙カセット
３２：搬送経路
【図１】
2015158647.tif 000003
【図２】
2015158647.tif 000004
【図３】
2015158647.tif 000005
【図４】
2015158647.tif 000006
【図５】
2015158647.tif 000007